(57)【要約】【課題】複数の発光素子アレイを搭載した露光ヘッドで重複素子を合理的に配置する。【解決手段】所定個数ずつの発光素子で発光素子アレイを構成し、発光素子アレイを所定間隔で並べてアレイ列を構成する。更に、アレイ列の方向（第１の方向）と交差する第２の方向に複数の発光素子アレイ列を配置するとともに、第２の方向から見たときに、発光素子アレイ間の隙間が他の発光素子アレイで塞がれ、且つ、発光素子アレイの端部の重複素子と、他のアレイ列を構成する発光素子アレイの端部の重複素子とが重複するように、アレイ列をずらして配置する。そして、第２の方向に距離が離れた発光素子アレイほど、重複素子の数が多くなるようにしておく。露光ヘッドの傾きによる影響は、発光素子アレイ間の距離が遠くなるほど強くなるので、こうすることで重複素子を合理的に配置することができる。【選択図】図８
2010131803.tif 000002
【特許請求の範囲】
【請求項１】
第１の方向に配設された発光素子で構成された第１の発光素子グループと、
前記第１の発光素子グループを構成する前記発光素子から発光された光を結像する光学倍率の絶対値が１以上の第１の結像光学系と、
前記第１方向と直交する第２の方向に前記第１の発光素子グループと距離ｄ１離間して配設されるとともに、前記第２の方向から見た時に前記第１の発光素子グループと重なり合う位置にｎ1個（ｎ1は１以上の整数）の発光素子が配設された第２の発光素子グループと、
前記第２の発光素子グループを構成する前記発光素子から発光された光を結像する光学倍率の絶対値が１以上の第２の結像光学系と、
前記第１方向と直交する第２の方向に前記第２の発光素子グループと前記距離ｄ１より長い距離ｄ２離間して配設されるとともに、前記第２の方向から見た時に前記第２の発光素子グループと重なり合う位置にｎ2個（ｎ2＞ｎ1の整数）の発光素子が配設された第３の発光素子グループと、
前記第３の発光素子グループを構成する前記発光素子から発光された光を結像する光学倍率の絶対値が１以上の第３の結像光学系と、
を有することを特徴とする露光ヘッド。
【請求項２】
前記距離ｄ１、前記距離ｄ２、ｎ１、及びｎ２は、
ｎ２／ｎ１＝ｋ（ｄ２／ｄ１）
（ここで、ｋは１以上の整数）
の関係を有する請求項１に記載の露光ヘッド。
【請求項３】
第１の方向に配設された発光素子で構成された第１の発光素子グループ、前記第１の発光素子グループを構成する前記発光素子から発光された光を結像する光学倍率の絶対値が１以上の第１の結像光学系、前記第１方向と直交する第２の方向に前記第１の発光素子グループと距離ｄ１離間して配設されるとともに、前記第２の方向から見た時に前記第１の発光素子グループと重なり合う位置にｎ1個（ｎ1は１以上の整数）の発光素子が配設された第２の発光素子グループ、前記第２の発光素子グループを構成する前記発光素子から発光された光を結像する光学倍率の絶対値が１以上の第２の結像光学系、前記第１方向と直交する第２の方向に前記第２の発光素子グループと前記距離ｄ１より長い距離ｄ２離間して配設されるとともに、前記第２の方向から見た時に前記第２の発光素子グループと重なり合う位置にｎ2個（ｎ2＞ｎ1の整数）の発光素子が配設された第３の発光素子グループ、及び前記第３の発光素子グループを構成する前記発光素子から発光された光を結像する光学倍率の絶対値が１以上の第３の結像光学系を有する露光ヘッドと、
前記露光ヘッドにより潜像が形成される潜像担持体と、
前記潜像担持体に形成された前記潜像を現像する現像部と、
を有することを特徴とする画像形成装置。
【発明の詳細な説明】
【技術分野】
【０００１】
本発明は、一定ピッチで配列された発光素子から射出される光をレンズで結像させることによって、感光体上に潜像を形成する技術に関する。
【背景技術】
【０００２】
小さな発光素子を一定ピッチで一列に配置し、各発光素子から射出される光をレンズで結像させれば、像面上に一列の結像スポット列を形成することができる。この原理を利用して感光体の表面に潜像を形成する技術が開発されている。例えば、円柱状に形成した感光体を回転させながら、露光ヘッドに一列に配置された発光素子を適切なタイミングで点滅させることで、所望の潜像を形成することが可能である（特許文献１など）。
【０００３】
また、個々の発光素子毎に専用の結像レンズを設けたのでは、レンズ径が小さくなってしまうのでレンズの開口数（ＮＡ数）を大きくすることができない。そこで、所定個数の発光素子で１つの結像レンズを共用することによって大きなＮＡ数を確保し、潜像の分解能を大幅に向上させることの可能な露光ヘッドも提案されている（特許文献２）。この提案の露光ヘッドでは、次のような理由から、所定個数ずつの発光素子のグループ（以下では「発光素子アレイ」と呼ぶ）が、互い違いに斜めになるように配置されている。先ず、レンズの端の部分は結像性能が低下するので、この部分には発光素子アレイを設けることは好ましくない。そこで先ず、結像レンズを一列に配置して、各レンズの中央付近だけに所定個数の発光素子（発光素子アレイ）を設ける。この状態では、レンズ間の境目の部分には発光素子アレイが設けられていないので、この結像レンズ列の隣に、同様な結像レンズ列を、少し位置をズラして配置して、レンズ間の境目の部分を新たに配置された結像レンズ列の発光素子アレイで埋めてやる。発光素子アレイに着目すれば、複数の発光素子アレイが千鳥状に配列されることになる。もちろん、新たな結像レンズ列を１列追加するだけでは埋めきれないのであれば、より多くの結像レンズ列を追加してやればよい。この場合は、複数個ずつの発光素子アレイが、互いに斜めに位置をズラしながら、繰り返して配列されることになる。
【０００４】
また、このように発光素子アレイを互い違いとなるように配列した露光ヘッドでは、露光ヘッドが、感光体の表面と平行な面内で傾けて（感光体に向かう方向を軸に回転した状態で）組み付けられると、互い違いに配列された発光素子アレイを斜め方向から見ることになるから、発光素子アレイ間の隙間が広がる箇所や、狭くなる箇所が発生する。その結果、感光体上の潜像には、個々の発光素子アレイによる結像スポットのグループ間が離れる箇所や、近付く箇所が発生して、良好な潜像を形成することが困難となる。
【０００５】
こうした点に鑑みて、発光素子アレイの端部を少し延長して、他の発光素子アレイの発光素子と重なる発光素子（重複素子）を設けておき、スポットグループ間の距離が広くなって隙間ができた場合には、重複素子によるスポットを形成することで隙間を埋め、逆にスポットグループ間の距離が狭くなった場合には、その部分のスポットを間引くことで、潜像の画質低下を回避しようとする技術も提案されている（特許文献３）。
【０００６】
【特許文献１】特開２０００−１５８７０５号公報
【特許文献２】特開２００８−０３６９３７号公報
【特許文献３】特開２００８−１７３８８９号公報
【発明の開示】
【発明が解決しようとする課題】
【０００７】
しかし重複素子は、潜像の画質低下の虞がある場合に備えて、他の発光素子に重複して設けられている素子であり、画質低下の虞が無い場合には有効に活用されない素子である。このため、全発光素子の中で重複素子の占める比率が多くなるほど、発光素子を有効に活用することができなくなるという問題がある。かといって、重複素子の比率が小さすぎたのでは、画質の低下に対して有効に対応することができなくなる。
【０００８】
この発明は、従来の技術が有する上述した課題に対応してなされたものであり、複数の発光素子アレイを搭載した露光ヘッドにおいて、画質の低下に対しても十分に対応可能でありながら、重複素子の比率をいたずらに増加させることがないように、重複素子を合理的に配置する技術の提供を目的とする。
【課題を解決するための手段】
【０００９】
上述した課題の少なくとも一部を解決するために、本発明の露光ヘッドは次の構成を採用した。すなわち、
第１の方向に配設された発光素子で構成された第１の発光素子グループと、
前記第１の発光素子グループを構成する前記発光素子から発光された光を結像する光学倍率の絶対値が１以上の第１の結像光学系と、
前記第１方向と直交する第２の方向に前記第１の発光素子グループと距離ｄ１離間して配設されるとともに、前記第２の方向から見た時に前記第１の発光素子グループと重なり合う位置にｎ1個（ｎ1は１以上の整数）の発光素子が配設された第２の発光素子グループと、
前記第２の発光素子グループを構成する前記発光素子から発光された光を結像する光学倍率の絶対値が１以上の第２の結像光学系と、
前記第１方向と直交する第２の方向に前記第２の発光素子グループと前記距離ｄ１より長い距離ｄ２離間して配設されるとともに、前記第２の方向から見た時に前記第２の発光素子グループと重なり合う位置にｎ2個（ｎ2＞ｎ1の整数）の発光素子が配設された第３の発光素子グループと、
前記第３の発光素子グループを構成する前記発光素子から発光された光を結像する光学倍率の絶対値が１以上の第３の結像光学系と、
を有することを特徴とする。
【００１０】
このような構成を有する本発明の露光ヘッドでは、第１の発光素子グループ、第２の発光素子グループ、第３の発光素子グループと、各発光素子グループの発光素子から発光された光を、絶対値が１以上の光学倍率でそれぞれに結像させる第１の結像光学系、第２の結像光学系、第３の結像光学系とを備えている。そして、第２の発光素子グループは、第１方向と直交する第２の方向に、第１の発光素子グループから距離ｄ１離間して配設されるとともに、第２の方向から見た時に第１の発光素子グループと重なり合う位置にｎ1個（ｎ1は１以上の整数）の発光素子が配設されている。また、第３の発光素子グループは、第１方向と直交する第２の方向に、第２の発光素子グループから距離ｄ１より長い距離ｄ２離間して配設されるとともに、第２の方向から見た時に第２の発光素子グループと重なり合う位置にｎ2個（ｎ2＞ｎ1の整数）の発光素子が配設されている。
【００１１】
このような露光ヘッドにおいては、発光素子グループの端部が他の発光素子グループの端部と重複しているので、たとえ露光ヘッドが傾いて組み付けられて、各発光素子グループが感光体上に形成するスポットグループの間に隙間ができた場合でも、重複素子（他の発光素子グループと重複する発光素子）によるスポットを形成することで、隙間を埋めて良好な潜像を形成することができる。ここで、発光素子グループは、隣り合う発光素子グループの端部が重複する場合と、発光素子グループを１つ跨いで遠くの発光素子グループの端部が重複する場合とが起こり得る。そして、露光ヘッドが傾いて組み付けられたことによる影響は、第２の方向への距離が遠い発光素子グループほど強く表れる。このことから、発光素子グループの第２の方向への距離が大きくなるほど、重複する発光素子の数が多くなるようにしておくことで、発光素子を合理的に配置することが可能となる。
【００１２】
また、上述した本発明の露光ヘッドにおいては、距離ｄ１、距離ｄ２、ｎ１、及びｎ２は、ｎ２／ｎ１＝ｋ（ｄ２／ｄ１）の関係（但し、ｋは１以上の整数）を有するようにしてもよい。
【００１３】
露光ヘッドが傾いて組み付けられると、全ての発光素子グループが一様に傾くことになるので、その影響は、発光素子グループ間の第２の方向への距離に比例する。従って、第２の方向への発光素子グループ間の距離が大きくなるほど、それに比例して重複する部分の発光素子の数を増加させれば、最も合理的に発光素子を配置することが可能となる。
【００１４】
また、上述した露光ヘッドは印刷媒体上に画像を形成するために用いられるものであることに鑑みれば、本発明は、画像形成装置の態様で把握することも可能である。すなわち、このような本発明の画像形成装置は、
第１の方向に配設された発光素子で構成された第１の発光素子グループ、前記第１の発光素子グループを構成する前記発光素子から発光された光を結像する光学倍率の絶対値が１以上の第１の結像光学系、前記第１方向と直交する第２の方向に前記第１の発光素子グループと距離ｄ１離間して配設されるとともに、前記第２の方向から見た時に前記第１の発光素子グループと重なり合う位置にｎ1個（ｎ1は１以上の整数）の発光素子が配設された第２の発光素子グループ、前記第２の発光素子グループを構成する前記発光素子から発光された光を結像する光学倍率の絶対値が１以上の第２の結像光学系、前記第１方向と直交する第２の方向に前記第２の発光素子グループと前記距離ｄ１より長い距離ｄ２離間して配設されるとともに、前記第２の方向から見た時に前記第２の発光素子グループと重なり合う位置にｎ2個（ｎ2＞ｎ1の整数）の発光素子が配設された第３の発光素子グループ、及び前記第３の発光素子グループを構成する前記発光素子から発光された光を結像する光学倍率の絶対値が１以上の第３の結像光学系を有する露光ヘッドと、
前記露光ヘッドにより潜像が形成される潜像担持体と、
前記潜像担持体に形成された前記潜像を現像する現像部と、
を有することを特徴とす。
【００１５】
このような本発明の画像形成装置においては、発光素子グループの端部が他の発光素子グループの端部と重複しているので、たとえ露光ヘッドが傾いて組み付けられて、潜像の間に隙間が生じるような場合でも、重複する発光素子による潜像を隙間に形成することで、良好な潜像を形成することができる。ここで、露光ヘッドが傾いて組み付けられることによる影響は、発光素子グループ同士が第２の方向に離れているほど大きくなる。従って、発光素子グループ間の第２の方向への距離が大きくなるほど、重複する発光素子の数が多くなるようにしておくことで、発光素子を合理的に配置することが可能となる。その結果、発光素子全体に占める重複素子の比率をむやみに大きくすることなく、高画質な画像を形成することが可能となる。
【発明を実施するための最良の形態】
【００１６】
以下では、上述した本願発明の内容を明確にするために、次のような順序に従って実施例を説明する。
Ａ．装置構成：
Ａ−１．画像形成装置の構造：
Ａ−２．露光ヘッドの構造：
Ａ−３．発光素子アレイの配置：
Ｂ．潜像形成の概要：
Ｃ．重複素子を配置する際の考え方：
Ｄ．変形例：
【００１７】
Ａ．装置構成  ：
Ａ−１．画像形成装置の構造  ：
図１は、本実施例の露光ヘッドを搭載した画像形成装置１の大まかな構造を示した説明図である。図示されているように画像形成装置１は、装置中央に設けられた画像形成ユニット１０と、画像形成ユニット１０の直ぐ上面側に設けられた転写ベルトユニット２０と、画像形成ユニット１０の下方に設けられた給紙ユニット３０と、画像形成ユニット１０および転写ベルトユニット２０の側方に設けられた二次転写ユニット４０と、二次転写ユニット４０の上方に設けられた定着ユニット５０などから構成されている。また、画像形成装置１の内部には、各ユニットの動作を制御する制御ユニット６０も設けられている。
【００１８】
転写ベルトユニット２０は、駆動ローラ２４と、従動ローラ２６と、駆動ローラ２４と従動ローラ２６との間に張設された転写ベルト２２などから構成されており、転写ベルト２２が駆動ローラ２４によって駆動されると、画像形成ユニット１０の上面を通過する際に、画像形成ユニット１０によって形成されたトナー像が転写ベルト２２に転写される。また、このとき、画像形成ユニット１０のトナー像を確実に転写ベルト２２に転写するために、転写ベルト２２の背面側には一次転写ローラ２８が設けられている。
【００１９】
画像形成ユニット１０内には、トナー像を形成するための感光体カートリッジが搭載されている。図１に示した画像形成装置１の画像形成ユニット１０には、イエロー色のトナー像を形成する感光体カートリッジ１００Ｙや、マゼンタ色のトナー像を形成する感光体カートリッジ１００Ｍ、シアン色のトナー像を形成する感光体カートリッジ１００Ｃ、黒色のトナー像を形成する感光体カートリッジ１００Ｋが搭載されている。尚、これら各色の感光体カートリッジは、使用するトナーの色が異なるだけで基本的な構造は全く同様であるため、以下では、特に色を区別する必要がある場合を除いて、単に、感光体カートリッジ１００と称することにする。詳細には後述するが、感光体カートリッジ１００の内部には円筒形状の感光体ドラムが設けられており、感光体ドラムの表面にトナー像が形成される。そして、転写ベルト２２の移動に合わせて感光体ドラムが回転することで、感光体ドラムの表面のトナー像が転写ベルト２２に転写される。図１に示した画像形成装置１には、イエロー色用の感光体カートリッジ１００Ｙ、マゼンタ色用の感光体カートリッジ１００Ｍ、シアン色用の感光体カートリッジ１００Ｃ、黒色用の感光体カートリッジ１００Ｋが搭載されているから、転写ベルト２２上には、この色の順番で各色のトナー像が重ねて転写されることになる。こうしてトナー像が転写された部分は、転写ベルト２２の回転に伴って、二次転写ユニット４０に供給される。
【００２０】
二次転写ユニット４０は、駆動ローラ２４と向き合う位置に設けられた二次転写ローラ４２と、この箇所（駆動ローラ２４と二次転写ローラ４２とが向き合う部分）に印刷用紙を導くためのガイド通路４４などから構成されている。印刷用紙は、下方の給紙ユニット３０からピックアップローラ３２によって１枚ずつ取り出され、上方のストレージローラ対４８に供給された後、適切なタイミングでストレージローラ対４８からガイド通路４４を介して、駆動ローラ２４と二次転写ローラ４２との間に供給される。その結果、転写ベルト２２の表面に転写（一次転写）されたトナー像が、今度は印刷用紙に転写（二次転写）されることになる。こうしてトナー像が転写された印刷用紙は、定着ユニット５０に供給される。
【００２１】
定着ユニット５０は、ハロゲンヒータなどの加熱体を内蔵した加熱ローラ５２や、印刷用紙を加熱ローラ５２に押圧するための押圧部５４などから構成されている。二次転写ユニット４０からの印刷用紙は、回転する加熱ローラ５２と押圧部５４との間に供給され、押圧部５４によって適度な圧力で押し付けられながら、回転する加熱ローラ５２の上を通過する。この時、印刷用紙の表面に転写されたトナー像は、加熱ローラ５２からの熱を受けることによって印刷用紙に定着される。そして、定着の終わった印刷用紙は、画像形成装置１の上面に設けられた排紙トレイ７０に排出される。
【００２２】
図２は、感光体カートリッジ１００の構造を示す説明図である。図示されているように、感光体カートリッジ１００のほぼ中央には円筒形状の感光体ドラム１０２が設けられている。感光体ドラム１０２は、図示しない専用の駆動モータによって回転可能となっており、この感光体ドラム１０２の表面にトナー像が形成される。感光体ドラム１０２の周辺には、トナー像を形成するための種々の部品類が搭載されている。図２に即して説明すると、感光体ドラム１０２の右側には感光体クリーナ１１０が搭載されており、その位置から時計回りに、帯電部１２０、露光ヘッド２００、現像部１３０が設けられている。
【００２３】
感光体クリーナ１１０は、感光体ドラム１０２の表面に当接しており、感光体ドラム１０２の表面に残留したトナーやゴミなどを除去する機能を有している。感光体ドラム１０２の表面にトナー像を形成するに先立って、先ず初めに感光体クリーナ１１０の部分で、ドラムの表面をきれいな状態にしておくのである。感光体ドラム１０２の回転に伴って、感光体クリーナ１１０でトナーなどが除去された表面は、続いて、帯電部１２０に送られる。
【００２４】
帯電部１２０は、周表面が弾性ゴムで覆われた帯電ローラと、この帯電ローラに帯電バイアスを印加する帯電バイアス印加部などから構成されている。帯電ローラは、感光体ドラム１０２に当接した状態で、感光体ドラム１０２の回転に伴って従動して回転するようになっており、帯電ローラに帯電バイアスを印可することで感光体ドラム１０２の表面を帯電させることが可能となっている。こうして帯電された表面は、今度は露光ヘッド２００に送られる。
【００２５】
露光ヘッド２００の詳細な構造については後述するが、露光ヘッド２００は、複数の発光素子および結像レンズが列状に組み込まれた長尺の部品であり、感光体ドラム１０２の表面に対して、結像レンズが所定の間隔を空けて向き合うような状態で設けられている。そして、発光素子から射出された光を、結像レンズを用いて感光体ドラム１０２の表面に結像させると、その部分が消電されて感光体ドラム１０２の表面に潜像が形成される。こうして潜像が形成された箇所の表面は、感光体ドラム１０２が回転することによって現像部１３０に送られる。
【００２６】
現像部１３０は、感光体ドラム１０２に当接して回転する現像ローラと、現像ローラに当接して回転する小さな摩擦ローラなどから構成されている。現像ローラおよび摩擦ローラが回転すると、現像部１３０内のトナーが摩擦によって帯電し、現像ローラの表面に担持される。このときにトナーが帯電する極性は、トナーの材質と、摩擦ローラおよび現像ローラの材質とに依存して決定される。また、帯電部１２０で感光体ドラム１０２に印加される帯電バイアスの極性は、トナーが停電する極性と同じ極性に設定されている。こうしてトナーが担持された現像ローラの表面と、感光体ドラム１０２の表面とが当接することで、潜像の部分だけに現像ローラのトナーが転写されて、感光体ドラム１０２の表面にトナー像が形成される。感光体ドラム１０２の表面と、摩擦帯電したトナーとは同じ極性に帯電されているので、潜像が形成されていない部分には現像ローラから感光体ドラム１０２にトナーが転写することはない。また、潜像の部分に現像ローラのトナーを確実に転写することができるように、現像ローラと感光体ドラム１０２との間には現像バイアスが印可されている。このことと対応して現像部１３０には、現像バイアスを発生させるための図示しない現像バイアス印加部も搭載されている。
【００２７】
こうして感光体ドラム１０２の表面に形成されたトナー像は、感光体ドラム１０２の回転によって転写ベルト２２の位置まで送られた後、一次転写ローラ２８の部分で転写ベルト２２上に転写される。そして、再び新たなトナー像を形成するべく、感光体クリーナ１１０の部分に送られて、表面に残ったトナーなどが除去される。その後、帯電部１２０、露光ヘッド２００、帯電部１２０と順に送られて、新たなトナー像が形成されることになる。
【００２８】
Ａ−２．露光ヘッドの構造  ：
図３は、本実施例の画像形成装置１に搭載された露光ヘッド２００の構造を示した説明図である。図３（ａ）には、本実施例の露光ヘッド２００の外観形状が示されており、図３（ｂ）には、露光ヘッド２００の分解組み立て図が示されている。図３（ａ）に示されるように、本実施例の露光ヘッド２００は略直方体形状をしており、両端部の底面側には、小さな位置決め用の突起２０２が設けられており、この突起２０２によって位置決めされて、感光体カートリッジ１００に組み付けられる。
【００２９】
露光ヘッド２００は、大まかに言うと、細長い矩形形状の発光素子基板２１０と、小さな結像レンズが形成された一次レンズアレイ板２４０ａと、同じく結像レンズが形成された二次レンズアレイ板２４０ｂとが、互いに所定の隙間を空けた状態で、ヘッドケース２２０に積層されることによって構成されている。図３（ｂ）を参照して詳しく説明すると、ヘッドケース２２０は細長い枠状に形成されており、ヘッドケース２２０の底面側には、発光素子基板２１０が積層される。図３（ｂ）中に拡大して示したように、発光素子基板２１０には、微細な発光素子を列状に配置して構成された発光素子アレイ２１２が、所定の配置で複数設けられている。発光素子アレイ２１２の配置に付いては後述する。
【００３０】
発光素子基板２１０の上方には、細長い矩形形状の遮光部材２３０が設けられている。遮光部材２３０は不透明な部材で形成されているが、発光素子基板２１０上の発光素子アレイ２１２に対応する位置には小さな円形の貫通孔が設けられており、それぞれの発光素子アレイ２１２から射出された光が通り抜けられるようになっている。
【００３１】
遮光部材２３０の上方には、一次レンズアレイ板２４０ａが設けられ、更にその上方には二次レンズアレイ板２４０ｂが設けられている。一次レンズアレイ板２４０ａおよび二次レンズアレイ板２４０ｂはヘッドケース２２０によって位置決めされており、発光素子アレイ２１２と、一次レンズアレイ板２４０ａと、二次レンズアレイ板２４０ｂとの間隔は、所定の間隔となるように設定されている。一次レンズアレイ板２４０ａおよび二次レンズアレイ板２４０ｂは、透明な樹脂材料で形成されているとともに、一次レンズアレイ板２４０ａおよび二次レンズアレイ板２４０ｂの表面には、遮光部材２３０の貫通孔と向き合う位置に、小さな結像レンズが形成されている。従って、発光素子基板２１０の発光素子アレイ２１２から射出された光は、遮光部材２３０の貫通孔を通過した後、一次レンズアレイ板２４０ａの結像レンズおよび二次レンズアレイ板２４０ｂの結像レンズを通って、感光体ドラム１０２の表面に照射されるようになっている。
【００３２】
尚、本実施例の露光ヘッド２００においては、レンズ設計の自由度を高めるために、一次レンズアレイ板２４０ａおよび二次レンズアレイ板２４０ｂの二枚のレンズアレイ板を用いているが、これらを一枚のレンズアレイ板としてまとめて構成することも可能である。このことと対応して、以下では、一次レンズアレイ板２４０ａおよび二次レンズアレイ板２４０ｂをまとめて、単に、レンズアレイ板２４０と称することがあるものとする。
【００３３】
図４は、露光ヘッド２００の断面構造を示した説明図である。図示されているように、発光素子基板２１０は、透明なガラス基板２１６や、ガラス基板２１６の裏面側に積層された封止板２１８などから構成されており、発光素子アレイ２１２は、ガラス基板２１６と封止板２１８との間に形成されている。また、ガラス基板２１６には、発光素子アレイ２１２を構成する各発光素子を駆動するための駆動回路も形成されている。発光素子アレイ２１２の各発光素子から射出された光は、ガラス基板２１６を通って、遮光部材２３０の貫通穴を通過したのち、一次レンズアレイ板２４０ａの表面に形成された結像レンズによって略平行光に収束され、次いで二次レンズアレイ板２４０ｂの結像レンズによって更に収束されて、感光体ドラム１０２の表面上に焦点を結ぶようになっている。また、図示されているように、一次レンズアレイ板２４０ａに形成された結像レンズと、発光素子アレイ２１２との間は、不透明な材料で形成された遮光部材２３０によって隔てられている。このため、発光素子アレイ２１２から射出された光は、対応する位置に設けられた結像レンズにのみ入射するようになっている。
【００３４】
図５は、レンズアレイ板２４０に設けられた複数の結像レンズの配置を示した説明図である。図示されているように、本実施例のレンズアレイ板２４０には、小さな結像レンズが三列に配置されている。各列のレンズピッチは「ｐ」に設定されている。また、各列は、レンズピッチｐの１／３よりも少し多めの距離（＝（ｐ／３）＋α）だけ、ずらして配置されている。また、各列間の間隔は「ｓ」となっている。
【００３５】
またレンズアレイ板２４０は、図５（ａ）に示したように、全長に亘って一体の部品として構成しても良いが、図５（ｂ）に示したように、幾つかの短いレンズアレイ板２４０に分割して、これらを繋ぎ合わせることによって構成しても良い。このように分割タイプのレンズアレイ板２４０は、レンズアレイ板２４０の長さを変更する際にも、中央のレンズアレイ板２４０を継ぎ足すことによって容易に対応することが可能である。
【００３６】
Ａ−３．発光素子アレイの配置  ：
図６は、発光素子基板２１０に複数の発光素子アレイ２１２が配置されている様子を示した説明図である。図６は、発光素子基板２１０に配置された発光素子アレイ２１２を、レンズアレイ板２４０の方向から観察した様子が示されている。また、図６中には、レンズアレイ板２４０に形成された結像レンズとの位置関係を示すために、細い一点鎖線で結像レンズも表示されている。尚、理解の便宜から本明細書中では、結像光学系が等倍の光学系もしくは拡大光学系であるものとして説明している。これら以外の光学系については、感光体ドラム１０２上に形成されたスポット状の潜像が重複する関係になっていても、発光素子基板２１０上での発光素子２１３の配置は重複していない場合も起こり得る。しかし、感光体ドラム１０２上での潜像の配置が図６に示すような配置となるのであれば、発光素子基板２１０上での発光素子２１３の配置はどのような配置であっても構わない。
【００３７】
図示されているように、発光素子アレイ２１２は、複数の発光素子が列状に配置されて構成されており、両端の発光素子の間の中心距離は「Ｌ」となっている。発光素子アレイ２１２を構成する発光素子の配置については、後ほど別図を用いて説明する。また、発光素子アレイ２１２は、結像レンズの中央となるように配置されている。図５を用いて前述したように、結像レンズはレンズピッチｐで配列され、結像レンズ列間は間隔ｓを空けて配置されていることから、発光素子アレイ２１２についても同様に、ピッチｐで複数の発光素子アレイ２１２が配列して構成された３本のアレイ列が、互いに間隔ｓを空けて配置されている。また、それぞれのアレイ列は、発光素子アレイ２１２間のピッチｐ（＝レンズピッチ）の１／３よりも少し多めの距離（＝（ｐ／３）＋α）だけ多めにズラして設けられている。尚、以下では、特に、各アレイ列を構成する発光素子アレイ２１２を区別する必要がある場合には、それぞれ発光素子アレイ２１２ａ、発光素子アレイ２１２ｂ、発光素子アレイ２１２ｃと呼んで区別することにする。
【００３８】
図７は、発光素子アレイ２１２を構成する発光素子２１３の配置を示す説明図である。図示されているように、本実施例の発光素子アレイ２１２は、千鳥状に配置された２８個の発光素子２１３によって構成されており、各発光素子２１３の間隔は「ｄｐ」に設定されている。尚、図示の都合から、図７では、３本のアレイ列の間隔は、実際よりも狭く表示されている。
【００３９】
また、３本のアレイ列を、アレイ列に直交する方向から見ると、各アレイ列を構成する発光素子アレイ２１２と、他のアレイ列を構成する発光素子アレイ２１２とは、発光素子アレイ２１２の端部が互いに重複する位置に設けられている。例えば、図７に示されているように、発光素子アレイ２１２ａの端部に存在する２つの発光素子２１３は、発光素子アレイ２１２ｂの端部の２つの発光素子２１３と重複している。また、発光素子アレイ２１２ｂの反対側の端部と、発光素子アレイ２１２ｃの端部とについても同様に、それぞれの端部に存在する２つの発光素子２１３が重複している。更に、発光素子アレイ２１２ｃの反対側の端部と、発光素子アレイ２１２ａの端部とも重複している。但し、発光素子アレイ２１２ｃと発光素子アレイ２１２ａとの間では、４つの発光素子２１３が重複している。以下では、発光素子アレイ２１２を構成する発光素子２１３の中で、特に他の発光素子アレイ２１２と重複する発光素子２１３を、重複素子２１３ｔと呼ぶものとする。図７では、これら重複素子２１３ｔは黒丸で表示されている。
【００４０】
以上では、発光素子アレイ２１２ａによって構成される発光素子アレイ列と、発光素子アレイ２１２ｂによる発光素子アレイ列と、発光素子アレイ２１２ｃによる発光素子アレイ列の３本のアレイ列によって露光ヘッド２００が構成されているものとして説明した。しかし本実施例の露光ヘッド２００は、３つの発光素子アレイ２１２（発光素子アレイ２１２ａ、発光素子アレイ２１２ｂ、発光素子アレイ２１２ｃ）による組が、アレイ列の方向に沿って、一定のピッチで繰り返して配列されると考えることもできる。
【００４１】
図８は、３つの発光素子アレイ２１２（発光素子アレイ２１２ａ、発光素子アレイ２１２ｂ、発光素子アレイ２１２ｃ）の組が繰り返されているものとして、露光ヘッド２００を観察した様子を示す説明図である。尚、図８においても、３本のアレイ列の間隔は実際よりも狭く表示されている。このような見方をすると、本実施例の露光ヘッド２００は、同じ組内の発光素子アレイ２１２が重複する箇所では２個の発光素子２１３を重複させ、異なる組間の発光素子アレイ２１２が重複する箇所では４個の発光素子２１３を重複させていると見ることができる。そしてこのような見方をすれば、これらの組を配列する際に組の間隔を狭くすることで、発光素子アレイ２１２が異なる組間で重複する箇所だけ、重複素子２１３ｔの数が多くなるように配置可能なことも容易に了解できる。
【００４２】
尚、図７および図８に示した発光素子アレイ２１２は、一定のピッチで配列された発光素子の列を、２本組み合わせることによって構成されているものとした。それぞれの発光素子２１３が互い違いの位置になるように組み合わせることで、それら発光素子２１３全体としてのピッチ「ｄｐ」を実現していた。もちろん、発光素子の列は２本に限らず、より多くの発光素子の列を少しずつずらして組み合わせることによって、発光素子アレイ２１２を構成しても良い。こうすれば、発光素子アレイ２１２を構成する発光素子２１３全体としては、より細かいピッチを実現することが可能となる。
【００４３】
Ｂ．潜像形成の概要  ：
図９は、上述した構成を有する露光ヘッド２００を用いて感光体ドラム１０２の表面に潜像を形成する方法の概要を示した説明図である。図９では、５つの発光素子アレイ２１２に着目して、それら発光素子アレイ２１２を構成する各発光素子２１３と、感光体ドラム１０２との位置関係が示されている。ここでは、感光体ドラム１０２が回転することによって、感光体ドラム１０２の表面が、紙面上で上から下へと移動しているものとする。また、図９中に太い破線で示した目標ライン上に、直線の潜像を形成するものとする。尚、図示の都合上、図９では、発光素子アレイ２１２ａと発光素子アレイ２１２ｂとの間隔ｓ、および発光素子アレイ２１２ｂと発光素子アレイ２１２ｃとの間隔ｓは、実際よりも狭く表示されている。また、感光体ドラム１０２の直径も、実際よりは小さく表示されている。
【００４４】
感光体ドラム１０２の回転に伴ってドラム表面上の目標ラインは下方に移動して、発光素子アレイ２１２ａに近付いていく。図７を用いて上述したように、発光素子アレイ２１２は、２本の発光素子２１３の列によって構成されているから、破線で示した目標ラインは、最初に、一方の発光素子２１３の列に到達する。以下では、発光素子アレイ２１２ａを構成する２本の発光素子の列を、目標ラインに近い方から「第１列」、「第２列」と呼ぶことにする。発光素子アレイ２１２ｂを構成する発光素子の列についても同様に、目標ラインに近い方から「第３列」、「第４列」と呼び、更に、発光素子アレイ２１２ｃを構成する発光素子の列については、それぞれ「第５列」、「第６列」と呼ぶことにする。
【００４５】
感光体ドラム１０２の回転に伴って、ドラム表面に目標ラインが、第１列の発光素子列に到達すると、第１列を構成する発光素子２１３を一斉に光らせる。すると発光素子２１３からの光は、一次レンズアレイ板２４０ａおよび二次レンズアレイ板２４０ｂの結像レンズによって集光されて、感光体ドラム１０２の表面上に焦点を結び、その位置にスポット状の小さな潜像を形成する。その結果、目標ライン上には、第１列の発光素子２１３の配列に対応して、飛び飛びの位置にスポット状の潜像が形成されることになる。
【００４６】
こうして第１列の発光素子２１３による潜像が形成された後、感光体ドラム１０２の回転によって目標ラインが第２列の発光素子２１３の位置に到達したら、今度は第２列の発光素子２１３を一斉に光らせる。その結果、第１列の発光素子２１３によって形成されたスポット状の潜像の間に、第２列の発光素子２１３によるスポット状の潜像が形成される。更に感光体ドラム１０２の回転に伴って、発光素子アレイ２１２ｂを構成する第３列の発光素子２１３に目標ラインが到達したら、第３列の発光素子２１３を一斉に光らせ、続いて、第４列の発光素子２１３に位置に到達したら、第４列の発光素子２１３を一斉に光らせる。その結果、第３列の発光素子２１３および第４列の発光素子２１３によるスポット状の潜像が形成される。
【００４７】
尚、図７および図８を用いて前述したように、各発光素子アレイ２１２の端部には、他の発光素子アレイ２１２の発光素子２１３と重なる重複素子２１３ｔが設けられている。図９では、重複素子２１３ｔを破線の矩形で囲って表示している。これら重複素子２１３ｔについては、何れか一方を光らせればよい。更に、発光素子アレイ２１２ｃを構成する発光素子２１３についても同様に、目標ラインが第５列の発光素子２１３の位置に到達したら、第５列の発光素子２１３を一斉に光らせ、第６列の発光素子２１３の位置に到達したら第６列の発光素子２１３を一斉に光らせる。その結果、感光体ドラム１０２の表面には、図９（ｂ）に示すように、ピッチｄｐでスポット状の潜像が一直線に並んだライン状の潜像を形成することができる。
【００４８】
以上に説明したように、感光体ドラム１０２の移動に合わせて、適切なタイミングで発光素子２１３を光らせることによって、感光体ドラム１０２の表面に所望の潜像を形成することが可能である。もっともこれは、露光ヘッド２００が、感光体ドラム１０２に対して誤差がほとんど無視できる状態で組み付けられた場合であり、露光ヘッド２００が傾いて組み付けられてしまった場合（いわゆるスキューが発生した場合）には、状況は若干異なったものとなる。
【００４９】
図１０は、感光体ドラム１０２に対して露光ヘッド２００が傾いて組み付けられた場合を例示した説明図である。感光体ドラム１０２上の目標ラインに対して露光ヘッド２００が傾くと、発光素子アレイ２１２も目標ラインに対して傾くことになる。その結果、目標ラインは、第１列の発光素子２１３の端から順番に到達することになるので、第１列の発光素子２１３を一斉に光らせることはできない。すなわち、目標ラインが到達する順番に合わせて、適切なタイミングで各発光素子２１３を光らせることが必要となる。第２列〜第６列に発光素子２１３についても同様に、各列の発光素子２１３を一斉に光らせることはできず、目標ラインが到達する順番に合わせて適切なタイミングで光らせる必要がある。
【００５０】
このように、各発光素子２１３を光らせるタイミングを調整することで、各発光素子２１３によるスポットが直線上に並んだ潜像を形成することは可能であるが、発光素子アレイ２１２が傾いてスキューが発生しているために、スポット間の間隔は、本来の間隔であるピッチｄｐよりも若干狭くなってしまう。実際には、ピッチｄｐはたいへんに小さな値であり、露光ヘッド２００の傾きも小さいので、このことが事実上の問題を引き起こすことはないが、２つの発光素子アレイ２１２の境目の箇所では問題を引き起こす。すなわち、発光素子アレイ２１２ａによるアレイ列と、発光素子アレイ２１２ｂによるアレイ列と、発光素子アレイ２１２ｃによるアレイ列との間隔は、図６を用いて前述したように、発光素子２１３間のピッチｄｐよりは遙かに大きいので、露光ヘッド２００が僅かに傾いて組み付けられただけでも問題を引き起こす。
【００５１】
例えば図１０に示した例では、露光ヘッド２００が傾くことによって、発光素子アレイ２１２ａと発光素子アレイ２１２ｂとの間が広くなるので、スポット間の間隔が広がってしまう。そこで、この部分には、重複素子２１３ｔによるスポットを追加して形成することにより、スポット間の間隔を埋める必要が生じる。発光素子アレイ２１２ｂと発光素子アレイ２１２ｃとの間でも、同様な理由から、重複素子２１３ｔによるスポットを追加して形成する必要が生じる。逆に、発光素子アレイ２１２ｃと発光素子アレイ２１２ａとの間は狭くなるので、この部分では重複素子２１３ｔのスポットを間引いてやる必要が生じる。また、図１０に示した例とは反対方向に露光ヘッド２００が傾いた場合には、発光素子アレイ２１２ａと発光素子アレイ２１２ｂとの間、および発光素子アレイ２１２ｂと発光素子アレイ２１２ｃとの間が狭くなり、発光素子アレイ２１２ｃと発光素子アレイ２１２ａとの間は広くなる。このように、２つの発光素子アレイ２１２の境目の箇所では何れの箇所でも問題が生じ得るので、重複素子を設けておくことが必要となる。しかし、だからといって、全ての箇所で同じように重複素子を設けたのでは、効率よく潜像を形成することはできない。以下では、この点について詳しく説明する。
【００５２】
Ｃ．重複素子を配置する際の考え方  ：
図１１は、重複素子２１３ｔの数が２つに設定されている場合を例示した説明図である。今、２つの発光素子アレイ２１２ｘ、発光素子アレイ２１２ｙの端部に、２つずつ重複素子２１３ｔが設けられているものとする。図１１（ａ）には、感光体ドラム１０２の回転方向に対して、発光素子アレイ２１２（すなわち露光ヘッド２００）が傾いていない場合が示されている。この場合は、２つの発光素子アレイ２１２間で重複素子２１３ｔの位置が重なるので、重なっている重複素子２１３ｔの何れかを発光させて、感光体ドラム１０２に潜像を形成すればよい。
【００５３】
図１１（ｂ）には、感光体ドラム１０２の回転方向に対して、発光素子アレイ２１２（すなわち露光ヘッド２００）が、角度θだけ傾いている場合が示されている。この場合は、発光素子アレイ２１２ｘの重複素子２１３ｔ、および発光素子アレイ２１２ｙの重複素子２１３ｔをどちらも発光させることで、良好な潜像を形成することができる。逆に言えば、露光ヘッド２００の傾きが角度θまでであれば、隙間の無い潜像を形成することができることになる。
【００５４】
図１１（ｃ）にも、感光体ドラム１０２の回転方向に対して、角度θだけ、露光ヘッド２００が傾いた状態が示されている。但し、図１１（ｂ）では２つの発光素子アレイ２１２が「ｓ」だけ離れていたのに対して、図１１（ｃ）では２倍の「２ｓ」になっている。そして、このように２つの発光素子アレイ２１２が離れると、重複素子２１３ｔの数は同じであるにも拘わらず、潜像に隙間が発生してしまう。逆に言えば、発光素子アレイ２１２が離れて設けられている箇所では、重複素子２１３ｔの数を同じに設定したのでは足らないということになる。
【００５５】
図１２は、重複素子２１３ｔの数を４つに設定した場合を例示した説明図である。図１２（ａ）には、感光体ドラム１０２の回転方向に対して露光ヘッド２００が傾いていない場合が示されており、図１２（ｂ）には、角度θだけ傾いた場合が示されている。また、２つの発光素子アレイ２１２は、図１１（ｃ）の場合と同様に「２ｓ」だけ離れて設けられている。このように、２つの発光素子アレイ２１２の距離が離れて設けられている場合でも、重複素子２１３ｔの数を増やしておけば、図１２（ｂ）に示されるように、潜像に隙間が発生することを回避することが可能である。そして、以上の説明から明らかなように、２つの発光素子アレイ２１２の距離が２倍、離れているところでは、重複素子２１３ｔの数を２倍に設定しておけば、同じ傾き角θまで、潜像に隙間が発生することを回避することが可能となる。
【００５６】
本実施例の露光ヘッド２００では、以上の考察に基づいて重複素子２１３ｔの数が設定されている。図７を参照して説明すると、発光素子アレイ２１２ａと発光素子アレイ２１２ｂとの距離、あるいは発光素子アレイ２１２ｂと発光素子アレイ２１２ｃとの距離は何れも「ｓ」である。従って、発光素子アレイ２１２ａと発光素子アレイ２１２ｂとの重複部分と、発光素子アレイ２１２ｂと発光素子アレイ２１２ｃとの重複部分とでは、重複素子２１３ｔの個数が、同じ個数（ここでは２個）に設定されている。ところが発光素子アレイ２１２ｃと発光素子アレイ２１２ａとの間では、距離が２倍の「２ｓ」になっている。このことと対応して、発光素子アレイ２１２ｃと発光素子アレイ２１２ａとの重複部分では、他の重複部分に比べて重複素子２１３ｔの個数が、２倍の個数（ここでは４個）に設定されている。
【００５７】
本実施例の露光ヘッド２００は、発光素子アレイ２１２が他の発光素子アレイ２１２と重複する部分には、このようにして重複素子２１３ｔが設定されている。このため発光素子アレイ２１２が互いに重複している何れの部分でも、露光ヘッド２００の同じ程度の傾きまでは、潜像に隙間が発生することを回避することができる。結局、重複する部分に応じて過不足なく適切な数の重複素子２１３ｔを、合理的に配置することが可能となっているのである。
【００５８】
Ｄ．変形例  ：
上述した実施例には幾つかの変形例を考えることができる。以下では、これらの変形例について簡単に説明する。
【００５９】
上述した実施例では、発光素子アレイ２１２ａによる発光素子アレイ列と、発光素子アレイ２１２ｂによる発光素子アレイ列と、発光素子アレイ２１２ｃによる発光素子アレイ列の３本のアレイ列から、露光ヘッド２００が構成されているものとして説明した。しかし、少なくとも３本以上の発光素子アレイ列から構成される露光ヘッド２００であれば、本発明を同様に適用することができる。
【００６０】
図１３は、４本の発光素子アレイ列から構成される露光ヘッド２００に対して本発明を適用した場合を例示した説明図である。図示した例では、発光素子アレイ２１２ａによる発光素子アレイ列と、発光素子アレイ２１２ｂによる発光素子アレイ列と、発光素子アレイ２１２ｃによる発光素子アレイ列と、発光素子アレイ２１２ｄによる発光素子アレイ列の４本のアレイ列によって露光ヘッド２００が構成されている。図示された露光ヘッド２００では、発光素子アレイ２１２ａと発光素子アレイ２１２ｂとの間隔、発光素子アレイ２１２ｂと発光素子アレイ２１２ｃとの間隔、発光素子アレイ２１２ｃと発光素子アレイ２１２ｄとの間隔は何れも同じであるが、発光素子アレイ２１２ｄと発光素子アレイ２１２ａとの間隔は、これらの間隔の３倍となる。従って、このような露光ヘッド２００では、発光素子アレイ２１２ｄと発光素子アレイ２１２ａとの間の重複素子２１３ｔは、他の発光素子アレイ２１２間の重複素子２１３ｔの３倍の個数に設定しておけばよい。
【００６１】
また、上述した実施例では、隣接する発光素子アレイ列の間は、等間隔に配置されているものとして説明した。しかし、何らかの理由により、隣接する発光素子アレイ列を等間隔に配置することができない事態が生じた場合にも、本発明は効果的に適用することができる。
【００６２】
図１４は、隣接する発光素子アレイ列の間が不等間隔に配置された露光ヘッド２００に対して本発明を適用した場合を例示した説明図である。図示した例では、発光素子アレイ２１２ｂによる発光素子アレイ列と発光素子アレイ２１２ｃによる発光素子アレイ列との間隔が最も狭く、発光素子アレイ２１２ａによるアレイ列と発光素子アレイ２１２ｂによるアレイ列との間隔はその２倍となり、更に、発光素子アレイ２１２ａによるアレイ列と発光素子アレイ２１２ｃによるアレイ列との間隔は３倍となっている。このような露光ヘッド２００の重複素子２１３ｔについては、図示されるように、発光素子アレイ２１２ｂと発光素子アレイ２１２ｃとの間の重複素子２１３ｔが最も少なく、発光素子アレイ２１２ａと発光素子アレイ２１２ｂとの間の重複素子２１３ｔはその２倍、発光素子アレイ２１２ａと発光素子アレイ２１２ｃとの間の重複素子２１３ｔは、その３倍の数に設定しておけばよい。このように設定しておけば、図１４に例示した露光ヘッド２００においても、発光素子アレイ２１２が重複する部分に、過不足なく適切な数の重複素子２１３ｔを配置することが可能となる。
【００６３】
以上、本実施例の露光ヘッド２００、および本実施例の露光ヘッド２００を搭載した画像形成装置１について説明したが、本発明は上記すべての実施例に限られるものではなく、その要旨を逸脱しない範囲において種々の態様で実施することが可能である。
【図面の簡単な説明】
【００６４】
【図１】露光ヘッドを搭載した画像形成装置の大まかな構造を示した説明図である。
【図２】感光体カートリッジの構造を示す説明図である。
【図３】画像形成装置に搭載された露光ヘッドの構造を示した説明図である。
【図４】露光ヘッドの断面構造を示した説明図である。
【図５】レンズアレイ板に設けられた複数の結像レンズの配置を示した説明図である。
【図６】発光素子基板に複数の発光素子アレイが配置されている様子を示した説明図である。
【図７】発光素子アレイを構成する発光素子の配置を示す説明図である。
【図８】３つの発光素子アレイの組が繰り返されているものとして露光ヘッドを観察した様子を示す説明図である。
【図９】露光ヘッドを用いて感光体ドラムの表面に潜像を形成する方法の概要を示した説明図である。
【図１０】感光体ドラムに対して露光ヘッドが傾いて組み付けられた場合を例示した説明図である。
【図１１】発光素子アレイ間の距離に拘わらず同じ数の重複素子を設定した場合を例示した説明図である。
【図１２】発光素子アレイ間の距離に応じて重複素子の数を異ならせて設定した場合を例示した説明図である。
【図１３】４本の発光素子アレイ列から構成される露光ヘッドに対して本発明を適用した場合を例示した説明図である。
【図１４】隣接する発光素子アレイ列の間が不等間隔に配置された露光ヘッドに対して本発明を適用した場合を例示した説明図である。
【符号の説明】
【００６５】
１…画像形成装置、    １０…画像形成ユニット、    ２０…転写ベルトユニット、
２２…転写ベルト、    ２４…駆動ローラ、    ２６…従動ローラ、
２８…一次転写ローラ、    ３０…給紙ユニット、    ３２…ピックアップローラ、
４０…二次転写ユニット、    ４２…二次転写ローラ、    ４４…ガイド通路、
４８…ストレージローラ対、    ５０…定着ユニット、    ５２…加熱ローラ、
５４…押圧部、    ６０…制御ユニット、    ７０…排紙トレイ、
１００…感光体カートリッジ、    １０２…感光体ドラム、
１１０…感光体クリーナ、    １２０…帯電部、    １３０…現像部、
２００…露光ヘッド、    ２０２…突起、    ２１０…発光素子基板、
２１２…発光素子アレイ、    ２１３…発光素子、    ２１３ｔ…重複素子、
２１６…ガラス基板、    ２１８…封止板、    ２２０…ヘッドケース、
２３０…遮光部材、    ２４０…レンズアレイ板
【図１】
2010131803.tif 000003
【図２】
2010131803.tif 000004
【図３】
2010131803.tif 000005
【図４】
2010131803.tif 000006
【図５】
2010131803.tif 000007
【図６】
2010131803.tif 000008
【図７】
2010131803.tif 000009
【図８】
2010131803.tif 000010
【図９】
2010131803.tif 000011
【図１０】
2010131803.tif 000012
【図１１】
2010131803.tif 000013
【図１２】
2010131803.tif 000014
【図１３】
2010131803.tif 000015
【図１４】
2010131803.tif 000016